(57)【特許請求の範囲】
【請求項１】
左右１対の側面構成部材間に、トレーを架設したトレー付きカートにおいて、前記両側面構成部材に、前記トレーの両側部を支持する左右１対のトレーレールを、前方位置と後方位置との両位置に選択的に取付け可能としたことを特徴とするトレー付きカート。
【請求項２】
両側面構成部材を、複数の縦部材と、少なくとも１個の横部材とを有するものとし、前記トレーの両側部を支持する左右１対のトレーレールのそれぞれに、前方位置と後方位置との両方において、前記側面構成部材における横部材に着脱可能に係合する前後１対の係合部と、前方位置および後方位置において、任意の縦部材の前面または任意の縦部材の後面に当接して、各位置における前記トレーレールの前後いずれかの方向の移動を阻止する当接部と、前記トレーの左右の側部を受支するトレー受け部とを設けたことを特徴とする請求項１記載のトレー付きカート。
【請求項３】
前面が開口するようにして、左右の側面構成部材を、複数の連結部材をもって連結し、かつ左右の側面構成部材の上方に、上面に電子機器を載置しうる天板を設けた請求項１または２記載のトレー付きカート。
【請求項４】
複数の横部材を、上下方向に互いに離間して設け、係合部を、複数の横部材に選択的に係合可能とすることにより、トレーレールおよびそれによって支持されるトレーの高さを変更可能とした請求項２または３記載のトレー付きカート。
【請求項５】
各側面構成部材を、縦部材をなす上下方向を向く複数の縦桟と、横部材をなす前後方向を向く複数の横桟とからなる格子構造体を備えるものとした請求項２〜４のいずれかに記載のトレー付きカート。
【請求項６】
係合部が、横部材に上下から弾性係合する上下１対のフックを備えるものとした請求項２〜５のいずれかに記載のトレー付きカート。
【請求項７】
トレーレールの前後の端部に係合孔を設け、前後の係合孔に、トレーの引出しを阻止するストッパを選択的に着脱可能として嵌合した請求項１〜６のいずれかに記載のトレー付きカート。
【発明の詳細な説明】
【技術分野】
【０００１】
本発明は、内部にトレーを設けたカートに関する。
【背景技術】
【０００２】
近年、病院においては、看護師が病室を回診する際、内部にトレーが設けられ、かつ上端に天板が設けられたカートが、回診用カートとして多く用いられている。（例えば特許文献１〜３参照）。
この回診用カートの天板上には、電子カルテを閲覧可能な電子機器が載置され、トレーには、例えば、血圧計、体温計、その他の測定機器、包帯、薬剤その他の必要品が、整理して収容される。
【特許文献１】特開２００５−０４６４１２号公報
【特許文献２】特開２００５−０３４６０７号公報
【特許文献３】特開２００７−１３０１８３号公報
【発明の開示】
【発明が解決しようとする課題】
【０００３】
上述のような従来のカートにおけるトレーは、前方に引出し可能としたものか、または固定式のものかのいずれかである。
しかし、回診用カートとして使用する場合は、回診時には、トレーが手前に位置していることが便利であるが、看護師が、椅子に腰掛けて、電子機器にデータの入力を行う際には、看護師の下肢空間を確保するため、トレーが後方に位置していることが望ましい。
【０００４】
トレーを引出し式とすれば、その両方を満足しそうであるが、実際には、トレーの後限位置を、トレーの前方に看護師の下肢空間を確保しうるように定めておくと、トレーを、回診時に都合のよい位置に安定して停止させることができず、結局は不便である。
【０００５】
本発明は、従来の技術が有する上記のような問題点に鑑み、トレーの前後位置を簡単に変更しうるようにすることにより、回診用カートとして使用する際の回診時とデータ入力時との両方において、トレーをそれらに好適な位置に、安定して保持しうるようにしたトレー付きカートを提供することを目的としている。
【課題を解決するための手段】
【０００６】
本発明によると、上記課題は次のようにして解決される。
（１）左右１対の側面構成部材間に、トレーを架設したトレー付きカートにおいて、前記両側面構成部材に、前記トレーの両側部を支持する左右１対のトレーレールを、前方位置と後方位置との両位置に選択的に取付け可能とする。
【０００７】
（２）上記(１)項において、両側面構成部材を、複数の縦部材と、少なくとも１個の横部材とを有するものとし、前記トレーの両側部を支持する左右１対のトレーレールのそれぞれに、前方位置と後方位置との両方において、前記側面構成部材における横部材に着脱可能に係合する前後１対の係合部と、前方位置および後方位置において、任意の縦部材の前面または任意の縦部材の後面に当接して、各位置における前記トレーレールの前後いずれかの方向の移動を阻止する当接部と、前記トレーの左右の側部を受支するトレー受け部とを設ける。
【０００８】
（３）上記(１)または(２)項において、前面が開口するようにして、左右の側面構成部材を、複数の連結部材をもって連結し、かつ左右の側面構成部材の上方に、上面に電子機器を載置しうる天板を設ける。
【０００９】
（４）上記(２)または(３)項において、複数の横部材を、上下方向に互いに離間して設け、係合部を、複数の横部材に選択的に係合可能とすることにより、トレーレールおよびそれによって支持されるトレーの高さを変更可能とする。
【００１０】
（５）上記(２)〜(４)項のいずれかにおいて、各側面構成部材を、縦部材をなす上下方向を向く複数の縦桟と、横部材をなす前後方向を向く複数の横桟とからなる格子構造体を備えるものとする。
【００１１】
（６）上記(２)〜(５)項のいずれかにおいて、係合部が、横部材に上下から弾性係合する上下１対のフックを備えるものとする。
【００１２】
（７）上記(１)〜(６)項のいずれかにおいて、トレーレールの前後の端部に係合孔を設け、前後の係合孔に、トレーの引出しを阻止するストッパを選択的に着脱可能として嵌合する。
【発明の効果】
【００１３】
本発明によると、次のような効果を奏することができる。
請求項１記載の発明によると、側面構成部材に対するトレーレールの前後方向の取付け位置を簡単に変更することができ、それによって、トレーの前後位置を簡単に変更することができる。
したがって、回診用カートとして使用する際には、回診時とデータ入力時との両方において、トレーをそれらに好適な位置に、安定して保持することができ、データ入力時には、椅子に座った看護師の下肢空間を確保することができる。
【００１４】
請求項２記載の発明によると、左右１対のトレーレールに、前方位置と後方位置との両方において、側面構成部材における横部材に着脱可能に係合する前後１対の係合部と、前方位置および後方位置において、任意の縦部材の前面および任意の縦部材の後面に当接して、各位置における前記トレーレールの前後方向の移動を阻止する当接部と、トレーの左右の側部を受支するトレー受け部とを設けてあるので、側面構成部材に対するトレーレールの前後方向の取付け位置を簡単に変更することができ、それによって、トレーの前後位置を簡単に変更することができる。
また、トレーレールは、側面構成部材に対して、前後いずれの位置に装着した場合でも、当接部が、任意の縦部材の前面および任意の縦部材の後面に当接するので、トレーレールの前後方向の位置ずれが確実に阻止される。
したがって、回診用カートとして使用する際には、回診時とデータ入力時との両方において、トレーをそれらに好適な位置に、安定して保持することができ、データ入力時には、椅子に座った看護師の下肢空間を確保することができる。
【００１５】
請求項３記載の発明によると、天板上に、電子カルテを閲覧可能な電子機器を載置し、トレーには、回診に必要な小物類を収容して、回診用カートとして好適なトレー付きカートを提供することができる。
【００１６】
請求項４記載の発明によると、トレーの高さを、必要に応じて、簡単に変更することができる。
【００１７】
請求項５記載の発明によると、側面構成部材を、簡単な構成とすることができるとともに、安価に製造することができる。
【００１８】
請求項６記載の発明によると、側面構成部材へのトレーレールの着脱を、容易に行うことができる。
【００１９】
請求項７記載の発明によると、ストッパを、トレーレールの前後いずれに装着するかによって、トレーを、カートの前方に引出し可能とするか、または後方に引出し可能とするかを選択することができる。
【発明を実施するための最良の形態】
【００２０】
以下、本発明の一実施形態を、添付図面を参照して説明する。
図１に示すように、このトレー付きカート１は、病院内において、回診用カートとして用いられるもので、カート本体２と、カート本体２の前面よりカート本体２内に引出し可能に収容される上下２段としたトレー３，４とからなっている。このうち、上部側トレー３は浅底容器状をなし、下部側トレー４は深底容器状をなし、それぞれの用途に応じた大きさの物品を収容できるようになっている。
【００２１】
カート本体２は、左右１対の側面構成部材５と、両側面構成部材５の下部および上部同士を所定間隔を設けて連結する複数の連結杆６と、両側面構成部材５の上端に固定された天板７とを備えている。図示の例では、天板７上にノート型パソコンＰＣを載置した状態を示している。
【００２２】
各側面構成部材５は、側面視倒立Ｌ字状とした前後のパイプ材８ａ，８ｂを、互いに前後に向き合わせて、かつ前方のものを若干上位として結合するとともに、その下端部同士を、下部連結杆８ｃをもって互いに連結したほぼ矩形枠状としたフレーム８と、各パイプ材８ａ，８ｂの下端に取付けられたストッパ付きキャスタ９と、フレーム８内に取付けられたサイドネット、すなわち格子構造体１０とを備えている。
【００２３】
フレーム８における前部側のパイプ材８ａの上端の後方を向く水平部分には、天板７が取付けられ、またパイプ材８ａの前上端の角部には、把手１１が取付けられ、この把手１１を持って作業者がカート１を押して移動できるようになっている。
【００２４】
格子構造体１０は、ビニル被覆ワイヤ等から構成されるものであり、パイプ材８ａ，８ｂおよび下部連結杆８ｃによって囲まれた矩形の空間の内側に固定された矩形の格子枠１２と、格子枠１２の内側に上下方向に所定間隔を設けて架設された多数の前後方向を向く横桟１３と、格子枠１２のほぼ中央部において、前後方向に所定間隔を設けて縦設された前後１対の縦桟１４とを備え、カート本体２の側面からでも、格子構造体１０を通じて、各トレー３，４内に収容された物品を見通せるようになっている。
【００２５】
この例では、フレーム８におけるパイプ材８ｂの上部の水平部分、下部連結杆８ｃ、格子枠１２の上下の水平部分、および横桟１３が横部材をなし、前後のパイプ材８ａ，８ｂの垂直部分、格子枠１２の前後の垂直部分、および縦桟１４が縦部材をなしている。
【００２６】
左右の側面構成部材５の内側には、各トレー３，４をそれぞれ前方に引出し可能に支持するための左右１対のトレーレール１５が取付けられている。
図２に示すように、左右のトレーレール１５は、横桟１３に沿って配置される前後方向に長い板状の基部１６と、基部１６の下縁より内方に水平に延出するトレー受け部１７と、基部１６の前後部より斜め外上方に向かって延出し、いずれかの横桟１３に上方より弾性係合する前後１対の上部フック１８と、基部１６の上縁より内方に水平に延出し、前後長をトレー受け部１７の前後長より短くした押えレール１９と、基部１６の前後部より斜め外下方に向かって延出し、いずれかの横桟１３に下方より弾性係合する前後１対の下部フック２０と、基部１６の外側面に突設した前後１対の縦長の突部２１とを備えている。
【００２７】
前後１対の上部フック１８と下部フック２０とにより、横部材である互いに隣接する上下１対の横桟１３，１３に上下から弾性係合して、トレーレール１５を、前方位置および後方位置において、側面構成部材５の内側に着脱可能に取付ける係合部が形成されている。
【００２８】
また、前後１対の縦長の突部２１により、前方位置および後方位置において、任意の縦部材の前面または任意の縦部材の後面に当接して、各位置におけるトレーレール１５の前後方向の移動を阻止する当接部が形成されている。
図１に示す例では、後部の突部２１が、後部の縦桟１４の前面に当接して、トレーレール１５の後方への移動が阻止されようになっている。このときのトレーレール１５の前方への移動は、トレーレール１５の基部１６の前端(これも当接部である)が、前方のパイプ材８ａの垂直部分の後面に当接することにより、阻止されるようにしてもよいが、上下のフック１８，２０による横桟１３，１３の弾圧把持力により、阻止されるようにしてもよい。
【００２９】
トレー受け部１７の前後の端部上面には、図３および図４に拡大して示すように、上向突部１７ａが設けられ、トレー３，４をトレーレール１５から引出す際には、この上向突部１７ａを乗越すことにより、引出しが可能となる。
【００３０】
また、図２〜図４に示すように、トレーレール１５の基部１６の前後部には、前後１対の縦長の係合孔１６ａが設けられており、この前後の係合孔１６ａのいずれかに、板状としたストッパ２２の外側端に設けた差し込み部２２ａを、選択的に嵌合することにより、トレー３，４の前方または後方への引出しを、選択的に阻止しうるようにしてある。
図示の例では、図４に拡大して示すように、基部１６の後部の係合孔１６ａに、ストッパ２２の差し込み部２２ａを嵌合することにより、トレー３，４の後方への引出しを阻止するようにしてある。
【００３１】
各フック１８，２０の内側の係合部は、横桟１３の外形にほぼ補形をなす形状としてある。
図５は、トレーレール１５の横桟１３に対する着脱方法を示しており、まず、トレーレール１５を、上部が下部より横桟１３に近づくように傾けた状態で、上方のフック１８を上方の横桟１３に上方より係合し、この状態で係止位置を回動中心として、下部を横桟１３に近接するように回せば、下方のフック２０が下方の横桟１３の下面に弾発的に係合し、トレーレール１５を横桟１３の側面に簡単に装着することができる。また、この取付順序と逆に操作することにより、トレーレール１５を、側面構成部材５から簡単に取外しでき、これらにより各トレー３、４の取付位置を自由に変更することができる。
【００３２】
図６に示すように、トレーレール１５にトレー３（４）を係止した状態では、トレー３（４）の上端開口縁部に設けた外向きフランジ３ａ（４ａ）がトレー受け部１７上に移動可能に支持される。
【００３３】
図７は、上記カート１の使用態様を示している。このうち、(ａ)は看護師がカート１を押してナースセンターと病室間を移動している状態、(ｂ)は看護師が病室、またはナースセンターなどでカート本体２から上部側トレー３を引出し、必要な物品の取出しや補充を行っている状態をそれぞれ示し、通常の回診業務に応じた動作によりカート１が使用される。これに対し、(ｃ)では、ナースセンターなどにおいて、看護師が天板７上に載置したパソコンＰＣを操作し、患者などに関するデータの整理を行っている状態を示している。
【００３４】
図７の(ａ)および(ｂ)の作業を行うことが多い場合は、トレーレール１５を、図１に示すのと同様の前方位置としておき、(ｃ)の作業を行うことが多い場合は、トレー３，４を、一旦トレーレール１５から外した後、左右のトレーレール１５を、側面構成部材５から上記のようにして取り外し、次いで、前方の突部２１が、前方の縦桟１４の後面に当接する後方位置において、上下のフック１８，２０を、上記と同様の要領で、側面構成部材５における上下に隣接する１対の横桟１３，１３に上下から弾圧把持させて、トレーレール１５を、側面構成部材５に取付け直し、その後、トレー３，４を、各トレーレール１５に装着し直す。このとき、トレーレール１５の基部１６の後端が後部のパイプ材８ｂの垂直部分の前面に当接して、トレーレール１５の後方への移動が阻止されるようにしてもよいが、上下のフック１８，２０による横桟１３，１３の弾圧把持力により、トレーレール１５の後方への移動が阻止するようにしてもよい。
【００３５】
このようにすることにより、図７の(ｃ)に示すように、看護師が天板７上に載置したパソコンＰＣを操作する際に、カート１の前端からトレー３，４の前端までの間に、看護師のための下肢空間Ｌを確保することができる。
【００３６】
なお、パソコン操作時だけでなく、(ａ)のカート１の移動時において、看護師の足が当るのを防止するために予め、予めトレー３，４をカート本体２の奧部に配置しておいてもよい。
【図面の簡単な説明】
【００３７】
【図１】本発明の一実施形態のトレーを取り出した状態の外観斜視図である。
【図２】同じく、左右のトレーレールの斜視図である。
【図３】図２における円Ａの拡大図である。
【図４】図２における円Ｂの拡大図である。
【図５】トレーレールの着脱方法を示す部分拡大縦断正面図である。
【図６】トレーレールにトレーを支持した状態を示す部分拡大縦断正面図である。
【図７】(ａ)、(ｂ)、(ｃ)は、トレー付きカートの使用態様を示す説明図である。
【符号の説明】
【００３８】
１  トレー付きカート
２  カート本体
３，４  トレー
３ａ外向きフランジ
５  側面構成部材
６  連結杆
７  天板
８  フレーム
８ａ，８ｂ  パイプ材
８ｃ下部連結杆
９  ストッパ付キャスタ
１０  格子構造体
１１  把手
１２  格子枠
１３  横桟
１４  縦桟
１５  トレーレール
１６  基部
１６ａ係合孔
１７  トレー受け部
１８  上部側フック
１９  押え部
２０  下部側フック
２１  突部
２２  ストッパ
２２ａ差し込み部２２ａ後部ストッパ片
３０  椅子
【図１】
0004943251.tif 000002
【図２】
0004943251.tif 000003
【図３】
0004943251.tif 000004
【図４】
0004943251.tif 000005
【図５】
0004943251.tif 000006
【図６】
0004943251.tif 000007
【図７】
0004943251.tif 000008